(57)【要約】【課題】  種々の位置決めが容易で正確に施工ができるデッキを提供する。【解決手段】  床材と、束柱と、根がらみ材を備え、束柱が床材を支持していて、根がらみ材が束柱同士を連結しており、束柱の側面に、上下に延びる線状部を設けてあり、治具により、束柱にネジ固定する根がらみ材のネジ孔の位置決めを行うものであって、治具は、基準部と、位置合わせ部と、根がらみ用ガイド孔を有していて、基準部を根がらみ材の上面に当接させ、位置合わせ部を束柱の線状部に合わせて、根がらみ用ガイド孔により根がらみ材のネジ孔の位置を定めて、根がらみ材を束柱にネジ止めしてある。【選択図】      図１
2015178713.tif 000002
【特許請求の範囲】
【請求項１】
床材と、束柱と、根がらみ材を備え、束柱が床材を支持していて、根がらみ材が束柱同士を連結しており、束柱の側面に、上下に延びる線状部を設けてあり、治具により、束柱にネジ固定する根がらみ材のネジ孔の位置決めを行うものであって、治具は、基準部と、位置合わせ部と、根がらみ用ガイド孔を有していて、基準部を根がらみ材の上面に当接させ、位置合わせ部を束柱の線状部に合わせて、根がらみ用ガイド孔により根がらみ材のネジ孔の位置を定めて、根がらみ材を束柱にネジ止めしてあることを特徴とするデッキ。
【請求項２】
床材と、桁材を備え、床材の端部に桁材を取り付けてあり、治具により、部材同士の位置決め及び床材にネジ固定する桁材のネジ孔の位置決めを行うものであって、治具は、隙間決め部と、孔決め部を備えており、隙間決め部は、床材同士の隙間に挿入する床目地挿入部を有していて、床目地挿入部により床材同士の間隔を定めて、床材を固定してあり、孔決め部は、隙間決め部を基準として所定の位置に設けた桁用ガイド孔を有していて、桁用ガイド孔により桁材のネジ孔の位置を定めて、桁材を床材にネジ止めしてあることを特徴とするデッキ。
【請求項３】
床材を備え、治具により、部材同士の位置決めを行うものであって、治具は、隙間決め部を備えており、隙間決め部は、床材と躯体の隙間に挿入する躯体側挿入部と、床材同士の隙間に挿入する床目地挿入部を有していて、躯体側挿入部と、床目地挿入部は、平板部の両端に設けてあって、互いに反対方向に突出しており、躯体側挿入部により床材と躯体の間隔を定め、床目地挿入部により床材同士の間隔を定めて、床材を固定してあることを特徴とするデッキ。
【請求項４】
隙間決め部と、孔決め部を備えており、隙間決め部は、部材同士の隙間に挿入して、部材同士の間隔を定めるものであり、孔決め部は、隙間決め部を基準として所定の位置に設けた孔からなり、部材のネジ孔の位置を定めるものであることを特徴とするデッキ施工用治具。
【発明の詳細な説明】
【技術分野】
【０００１】
本発明は、床材を並べて構成したデッキ及びその施工に用いるデッキ施工用治具に関する。
【背景技術】
【０００２】
従来、特許文献１に示すように、床材を束柱によって支持したデッキがある。このようなデッキの施工においては、種々の条件に対応するため、現場において各部材にネジ孔を開ける加工を行い、部材同士をネジ止めしていた。また、床材と躯体の間及び床材同士の間には、所定の隙間を設けて、床材を固定する必要があった。このようなネジ孔の位置決めや、床材と躯体及び床材同士の位置決めは、作業者が各種の計測器具などを用いて行っていた。
【先行技術文献】
【特許文献】
【０００３】
【特許文献１】特開２００７−２４６３号公報
【発明の概要】
【発明が解決しようとする課題】
【０００４】
しかしながら、このように種々の位置決めを正確に行う作業は、手間がかかるものであり、位置決めが正確でないと、デッキの強度や品質が低下するおそれがあった。そこで、各種の位置決めを容易かつ正確に行うための工夫が求められていた。
【０００５】
本発明は、上記事情を鑑みたものであり、種々の位置決めが容易で正確に施工ができるデッキ及びその施工に用いるデッキ施工用治具を提供することを目的とする。
【課題を解決するための手段】
【０００６】
本発明のうち請求項１の発明は、床材と、束柱と、根がらみ材を備え、束柱が床材を支持していて、根がらみ材が束柱同士を連結しており、束柱の側面に、上下に延びる線状部を設けてあり、治具により、束柱にネジ固定する根がらみ材のネジ孔の位置決めを行うものであって、治具は、基準部と、位置合わせ部と、根がらみ用ガイド孔を有していて、基準部を根がらみ材の上面に当接させ、位置合わせ部を束柱の線状部に合わせて、根がらみ用ガイド孔により根がらみ材のネジ孔の位置を定めて、根がらみ材を束柱にネジ止めしてあることを特徴とする。
【０００７】
本発明のうち請求項２の発明は、床材と、桁材を備え、床材の端部に桁材を取り付けてあり、治具により、部材同士の位置決め及び床材にネジ固定する桁材のネジ孔の位置決めを行うものであって、治具は、隙間決め部と、孔決め部を備えており、隙間決め部は、床材同士の隙間に挿入する床目地挿入部を有していて、床目地挿入部により床材同士の間隔を定めて、床材を固定してあり、孔決め部は、隙間決め部を基準として所定の位置に設けた桁用ガイド孔を有していて、桁用ガイド孔により桁材のネジ孔の位置を定めて、桁材を床材にネジ止めしてあることを特徴とする。
【０００８】
本発明のうち請求項３の発明は、床材を備え、治具により、部材同士の位置決めを行うものであって、治具は、隙間決め部を備えており、隙間決め部は、床材と躯体の隙間に挿入する躯体側挿入部と、床材同士の隙間に挿入する床目地挿入部を有していて、躯体側挿入部と、床目地挿入部は、平板部の両端に設けてあって、互いに反対方向に突出しており、躯体側挿入部により床材と躯体の間隔を定め、床目地挿入部により床材同士の間隔を定めて、床材を固定してあることを特徴とする。
【０００９】
本発明のうち請求項４の発明は、隙間決め部と、孔決め部を備えており、隙間決め部は、部材同士の隙間に挿入して、部材同士の間隔を定めるものであり、孔決め部は、隙間決め部を基準として所定の位置に設けた孔からなり、部材のネジ孔の位置を定めるものであることを特徴とする。
【発明の効果】
【００１０】
本発明のうち請求項１の発明によれば、治具により、根がらみ材のネジ孔の位置を容易かつ正確に定めることができるので、施工性が良好であり、また高い強度や品質が得られる。
【００１１】
本発明のうち請求項２の発明によれば、治具により、桁材のネジ孔の位置を容易かつ正確に定めることができるので、施工性が良好であり、また高い強度や品質が得られる。さらに、治具により、容易に床目地の幅をそろえることができるので、施工性が良好であり、また意匠性も良好である。そして、ネジ孔の位置決めと部材同士の位置決めを、共通の治具により行うことができるので、その点においても施工性が良好である。
【００１２】
本発明のうち請求項３の発明によれば、治具により、容易に床材と躯体の隙間の幅や床目地の幅をそろえることができるので、施工性が良好であり、また意匠性も良好である。そして、躯体に対する床材の位置決めと、床材同士の位置決めを、共通の治具により行うことができるので、その点においても施工性が良好である。
【００１３】
本発明のうち請求項４の発明によれば、デッキを構成する部材同士の位置決めと、デッキを構成する部材に形成するネジ孔の位置決めを、共通の治具により行うことができるので、施工性が向上する。
【図面の簡単な説明】
【００１４】
【図１】デッキ施工用治具の第一実施形態の斜視図である。
【図２】デッキ施工用治具の第一実施形態の三面図であり、（ａ）は平面図、（ｂ）は側面図、（ｃ）は正面図である。
【図３】根がらみ材のネジ孔の位置決めの説明図であり、（ａ）は斜視図、（ｂ）は正面図、（ｃ）は横断面図である。
【図４】躯体に対する床材の位置決めの説明図であり、（ａ）は斜視図、（ｂ）は縦断面図である。
【図５】床材同士の位置決めの説明図であり、（ａ）は斜視図、（ｂ）は縦断面図である。
【図６】桁材のネジ孔の位置決めの説明図であり、（ａ）は標準桁の場合の斜視図、（ｂ）はＲ桁の場合の斜視図である。
【図７】床材と桁材のネジ止め部分の説明図であり、（ａ）は標準納まりの場合の縦断面図、（ｂ）は移動納まりの場合の縦断面図である。
【図８】床材のネジ孔の位置決めの説明図である。
【図９】床材同士の位置決め（出幅方向）の説明図である。
【図１０】デッキの全体斜視図である。
【図１１】デッキの全体縦断面図（図１０のＡ−Ａ線断面図）である。
【図１２】デッキ施工用治具の第二実施形態の斜視図である。
【発明を実施するための形態】
【００１５】
以下、本発明のデッキ及びその施工に用いるデッキ施工用治具の実施の形態を図面に基づいて説明する。デッキは、住宅の庭先などに設置するものであり、図１０及び図１１に示すように、平面視矩形で躯体１００の前側に隣接するものである。施工順に沿って構成をより詳細に説明すると、まず、設置面に束柱６を立設する。本実施形態では、束柱６は間口方向に三本ずつ、出幅方向に三本ずつ並んでいて、計九本設けてある。次に、間口方向に並ぶ三本の束柱６の上端に、大引き材９をネジ止めする。大引き材９は、出幅方向に三本並ぶことになる。また、出幅方向に並ぶ三本の束柱６のうち、間口方向両端の束柱６の側面に、根がらみ材７をネジ止めする。根がらみ材７は、断面矩形の形材からなるものであり、出幅方向に並ぶ束柱６を連結している。次に、大引き材９の上面に床材５を載置する。床材５は、中空平板状のものであって、出幅方向に延びるものであり、これを間口方向に並べて大引き材９に固定してある。そして、床材５の端面に、桁材８をネジ止めする。桁材８は、床材５の出幅方向の一端部と、間口方向の両端部に取り付ける。床材５の出幅方向の他端部は、躯体１００に対向しており、桁材８は取り付けられていない。
【００１６】
このように構成するデッキは、施工に際して、部材同士の位置決めや、部材のネジ孔の位置決めを正確に行う必要がある。そこで、これらの位置決めを容易かつ正確に行うために、本発明のデッキ施工用治具を用いる。図１及び図２に示すのは、このデッキ施工用治具の第一実施形態であり、治具１は、隙間決め部２と、孔決め部３を備えるものであって、隙間決め部２は、部材同士の隙間に挿入して、部材同士の間隔を定めるものであり、孔決め部３は、隙間決め部２を基準として所定の位置に設けた孔からなり、部材のネジ孔の位置を定めるものである。より具体的には、治具１は、一枚のステンレス板を折り曲げて形成したものであり、略矩形の平板部４の対向する二辺（図１における下辺及び上辺）を折り曲げて隙間決め部２としてあり、平板部４に孔を設けて孔決め部３としてある。平板部４の下側の隙間決め部２については、平板部４の下辺に二本の切込を形成してあって、二本の切込の内側部分を直角に折り曲げて内側当接部２１ａとしてあり、二本の切込の両外側部分を、内側部分より上側で、内側部分と同じ向きの直角に折り曲げて外側当接部２１ｂとしてあり、内側当接部２１ａと外側当接部２１ｂを合わせて床目地挿入部２１としてある。また、平板部４の上側の隙間決め部２については、平板部４の上辺に二本の切込を形成してあって、二本の切込の内側部分を下辺とは反対向きの直角に折り曲げて内側当接部２２ａとしてあり、二本の切込の両外側部分を、内側部分より上側で、内側部分と同じ向きの直角に折り曲げて外側当接部２２ｂとしてあり、内側当接部２２ａと外側当接部２２ｂを合わせて躯体側挿入部２２としてある。図２に示すように、床目地挿入部２１の内側当接部２１ａ及び外側当接部２１ｂは、何れも矩形であって、平板部４からの突出幅は同じである。一方、躯体側挿入部２２においては内側当接部２２ａが矩形であるのに対して、外側当接部２２ｂは外側辺の方が短い台形となっている。外側当接部２２ｂの内側辺の長さは、内側当接部２２ａの突出幅に等しい。そして、床目地挿入部２１の内側当接部２１ａと外側当接部２１ｂの間隔は、躯体側挿入部２２の内側当接部２２ａと外側当接部２２ｂの間隔よりも狭くなっている。また、平板部４には、八つの円形の孔を設けてあり、これらが孔決め部３となっている。孔は二つ一組であり、図２（ｃ）において、平板部４の上部で水平方向に並んだ二つの孔が根がらみ用ガイド孔３１、平板部４の左右端で垂直方向に並んだ二つの孔が桁用ガイド孔３２、根がらみ用ガイド孔３１の下側で水平方向に並んだ二つの孔が床用ガイド孔３３となっている。なお、根がらみ用ガイド孔３１、桁用ガイド孔３２及び床用ガイド孔３３の位置は、何れも躯体側挿入部２２の内側当接部２２ａ（の下面）を基準として定められており、各ガイド孔に対して、この内側当接部２２ａが基準部２２１となる。さらに平板部４の上端部には、躯体側挿入部２２の内側当接部２２ａに接するように、三角形の目印孔４１を設けてある。目印孔４１は、内側当接部２２ａに接する側を頂点とする二等辺三角形で、治具１の左右方向中心に位置している。
【００１７】
続いて、デッキの施工において、この治具１により位置決めを行う部分について、施工順に沿ってそれぞれ詳述する。施工において最初にこの治具１を使用するのは、束柱６に根がらみ材７をネジ止めするときである。図３（ｃ）に示すように、束柱６は、断面正方形の形材からなるものであるが、各壁面の内周側面には、それぞれ二箇所に上下に延びる肉盛部６２を形成してあり、肉盛部６２の背面（外周側面）には、上下に延びる微細な溝部を形成して線状部６１としてある。肉盛部６２は、ネジを螺合するために強度を高めた部分であり、線状部６１は、肉盛部６２の位置を示すものであって、ネジ止め位置が肉盛部６２からずれてしまうと、束柱６と根がらみ材７の接続剛性が劣り、デッキ全体の強度に問題が生じることになる。そこで、束柱６の側面に根がらみ材７を当接させた状態で、根がらみ材７の上面に、治具１の基準部２２１（躯体側挿入部２２の内側当接部２２ａ）を当接させ、根がらみ材７の側面に、治具１の平板部４を当接させる。基準部２２１の平板部４に対する突出幅は、根がらみ材７の幅に略等しく、基準部２２１の先端は束柱６の側面に僅かな隙間を隔てて対向する。そして、基準部２２１の両側に位置する躯体側挿入部２２の外側当接部２２ｂ同士の間隔が、束柱６の二本の線状部６１同士の間隔に等しく、各外側当接部２２ｂの内側辺の先端が位置合わせ部２２２となっている。この位置合わせ部２２２も、束柱６の側面に僅かな隙間を隔てて対向するものであり、治具１を根がらみ材７の長手方向に沿って動かして、両位置合わせ部２２２を、それぞれ束柱６の線状部６１に合わせることで、根がらみ用ガイド孔３１が、根がらみ材７の適切なネジ孔位置を指し示すことになる。よって、根がらみ用ガイド孔３１を通して、根がらみ材７にネジ孔の位置をマーキングするか、又は直接孔加工を行うことで、根がらみ材７のネジ孔の位置を正確に定めることができ、このネジ孔にネジを螺入することで、束柱６の肉盛部６２の位置にネジを螺合して、根がらみ材７を束柱６にネジ止めすることができる。
【００１８】
このように、治具１を根がらみ材７の長手方向に沿って動かして、位置合わせ部２２２を線状部６１に合わせるだけで、根がらみ材７のネジ孔の位置を容易かつ正確に定めることができるので、施工性が良好である。そして、ネジが確実に束柱６の肉盛部６２に螺合されるので、強度や品質の高いデッキが得られる。なお、躯体側挿入部２２の外側当接部２２ｂは台形であって、位置合わせ部２２２が尖った形状となっているので、線状部６１に合わせやすくなっている。
【００１９】
次にこの治具１を使用するのは、床材５を大引き材９に固定するときである。床材５は、大引き材９の上面に間口方向に並べて載置されるが、この際、躯体１００と床材５の間及び床材５同士の間に、所定の幅の隙間を設ける必要がある。そこで、まず躯体１００に対する床材５の位置を定めるには、治具１の躯体側挿入部２２を用いる。図４に示すように、治具１の躯体側挿入部２２を下側に向けて、平板部４を床材５の上面に当接させ、躯体側挿入部２２を躯体１００と床材５の間の隙間に挿入する。そして、内側当接部２２ａを床材５の短手側面に当接させ、両方の外側当接部２２ｂを躯体１００に当接させることで、躯体１００と床材５の間の隙間が所定の幅に定まる。
【００２０】
また、床材５同士の位置を定める、すなわち床目地の幅を定めるには、治具１の床目地挿入部２１を用いる。図５に示すように、床材５は、中空平板状のものであるが、その長手側面の上端と下端には、それぞれ上側突条５１及び下側突条５２を設けてあり、上側突条５１の方が、突出幅が大きい。ここで、既に固定した床材５に対して、別の床材５の位置を定める場合、治具１の床目地挿入部２１を下側に向けて、平板部４を何れか一方の床材５の上面に当接させ（図５（ａ）のように、これから取り付ける床材５に当接させてもよいし、図５（ｂ）のように、既に固定した床材５に当接させてもよい）、床目地挿入部２１を床材５同士の間の隙間に挿入する。そして、両方の外側当接部２１ｂを一方の床材５の上側突条５１に当接させ、内側当接部２１ａを他方の床材５の上側突条５１に当接させて、これを床材５の長手方向の複数箇所で行えば、床材５の長手方向にわたって、床材５同士の間の隙間が所定の幅に定まる。なお、床材５は、ゲタ形の固定金具５３を下側突条５２に係合させ、固定金具５３を大引き材９にネジ止めすることで固定してあり、新たに床材５を取り付ける際には、図５（ｂ）に示すように、下側突条５２を固定金具５３に潜り込ませるようにする。また、間口方向端部においては、側方から端部固定金具５４を取り付けて床材５を固定してある。端部固定金具５４は、上端部に断面略矩形で中空の係合部５４１を有し、下端部に水平方向に延びる取付片５４２を有していて、係合部５４１を床材５の上側突条５１と下側突条５２の間に挿入して床材５の側面にネジ止めし、取付片５４２を大引き材９の中空部に挿入して大引き材９にネジ止めしてある。なお、床目地挿入部２１の内側当接部２１ａと外側当接部２１ｂの間隔は、躯体側挿入部２２の内側当接部２２ａと外側当接部２２ｂの間隔よりも狭くなっているので、床材５同士の間の間隔は、躯体１００と床材５の間の間隔よりも狭くなる。
【００２１】
このように、治具１の躯体側挿入部２２又は床目地挿入部２１を、躯体１００と床材５の間又は床材５同士の間に挿入するだけで、容易に床材５と躯体１００の隙間の幅や床目地の幅をそろえることができるので、施工性が良好であり、また意匠性が良好なデッキが得られる。そして、躯体１００に対する床材５の位置決めと、床材５同士の位置決めを、共通の治具１により行うことができるので、その点においても施工性が良好である。また、躯体１００に対する床材５の位置決めにおいて、一般に住宅の躯体１００には種々の吹き付け加工などが行われており、表面が平滑でない場合も多いが、躯体側挿入部２２において、躯体１００側に当接する外側当接部２２ｂは、治具１の幅方向に離隔した二面からなるので、治具１の幅方向の中央部に凸部が存在していても影響がなく、両外側当接部２２ｂの一方にのみ凸部が存在していても、治具１の傾きの影響は最小限に抑えることができる。一方、床材５同士の位置決めにおいては、一般に床材５は押出形材からなり表面は平滑であるから、このような問題は生じにくい。さらに、躯体側挿入部２２と床目地挿入部２１は、平板部４の両端に設けてあって互いに反対方向に突出しているから、使用の際に互いに邪魔にならない。
【００２２】
次にこの治具１を使用するのは、桁材８を床材５の端面に取り付けるときである。桁材８には、床材５の端面が直線状である場合に用いる標準桁（図６（ａ））と、床材５の端面が曲線状である場合に用いるＲ桁（図６（ｂ））があるが、以下においては、特に断らない限り、標準桁に基づいて説明する。桁材８（標準桁）は、中空平板状のものであって、中空部内にリブ８１を形成してある。リブ８１は上下に複数設けてあり、取り付けに際しては、強度を確保するため、リブ８１の位置にネジ止めを行う必要があるが、表面からはリブ８１の位置がわからない。そこで、桁材８の上面に、治具１の基準部２２１（躯体側挿入部２２の内側当接部２２ａ）を当接させ、桁材８の側面に、治具１の平板部４を当接させる。これにより、桁用ガイド孔３２が、桁材８の適切なネジ孔位置を指し示すことになる（標準桁の場合、図２（ｃ）における左側の桁用ガイド孔３２を用いる）。よって、桁用ガイド孔３２を通して、桁材８にネジ孔の位置をマーキングするか、又は直接孔加工を行うことで、桁材８のネジ孔の位置を正確に定めることができ、このネジ孔にネジを螺入することで、リブ８１の位置にネジ止めすることができる。なお、桁材８の長手方向に対するネジ孔の位置は、デッキの間口などにより異なるので、適宜計測して定める。また、Ｒ桁については、中空部のない平板状のものであるが、標準桁の場合と同様に、治具１を用いてネジ孔を位置決めする。すなわち、桁材８の上面に、治具１の基準部２２１（躯体側挿入部２２の内側当接部２２ａ）を当接させ、桁材８の側面に、治具１の平板部４を当接させる。これにより、桁用ガイド孔３２が、桁材８の適切なネジ孔位置を指し示すことになる（Ｒ桁の場合、図２（ｃ）における右側の桁用ガイド孔３２を用いる）。
【００２３】
ここで、桁材８の取り付け部分について詳述する。まず、桁材８を床材５の出幅方向の端部に取り付ける場合、通常は、図７（ａ）に示すように、束柱６及び大引き材９が床材５の端部に近接しており（標準納まり）、大引き材９の側面に断面略コ字形の受け金具８２をネジ止めしてある。受け金具８２の上面は床材５の下面に当接しており、側面は床材５の端面と略面一であって、受け金具８２の側面に、略平板状の取付金具８３をネジ止めしてある。取付金具８３は、床材５の端面を覆うように上側に延びており、取付金具８３に、桁材８をネジ止めしてある。また、設置面の障害物を避けるために束柱６を通常位置から移動させたり、床材５の端面を間口方向に対して傾斜させたりして、図７（ｂ）に示すように、束柱６及び大引き材９が床材５の端部から離隔する場合（移動納まり）、大引き材９の側面と床材５の下面にＬ字金具８４をネジ止めしてある。そして、床材５の端面に、断面略Ｌ字形の移動受け金具８５を取り付けてある。移動受け金具８５は、一辺を床材５の中空部内に挿入して床材５にネジ止めしてあり、他辺が床材５の端面と略面一であって、略平板状の移動取付金具８６をネジ止めしてある。移動取付金具８６は、床材５の端面を覆うように上側に延びており、移動取付金具８６に、桁材８をネジ止めしてある。さらに、桁材８を床材５の間口方向の端部に取り付ける場合、図５（ｂ）に示すように、床材５を大引き材９に固定するための端部固定金具５４に、桁材８をネジ止めしてある。
【００２４】
なお、移動受け金具８５は、床材５の下面にネジ止めするものであり、床材５の端面から所定長さを隔てた位置にネジ孔を形成する必要があるが、このネジ孔の位置決めにも治具１を用いる。図８に示すように（図８の床材５は裏返した状態である）、床材５の端面に、治具１の基準部２２１（躯体側挿入部２２の内側当接部２２ａ）を当接させ、床材５の下面に、治具１の平板部４を当接させる。これにより、床用ガイド孔３３が、床材５の適切なネジ孔位置を指し示すことになる。よって、床用ガイド孔３３を通して、床材５にネジ孔の位置をマーキングするか、又は直接孔加工を行うことで、床材５のネジ孔の位置を正確に定めることができる。
【００２５】
このように、治具１の基準部２２１及び平板部４を桁材８や床材５に当接させるだけで、ネジ孔の位置を容易かつ正確に定めることができるので、施工性が良好である。そして、ネジが確実に所定の位置に螺合されるので、強度や品質の高いデッキが得られる。
【００２６】
また、デッキが出幅方向に長い場合には、床材５を出幅方向にも並べる場合がある。この場合、出幅方向についても、床材５同士の間に、所定の幅の隙間を設ける必要があり、その幅は、躯体１００と床材５の間の隙間の幅と同じなので、治具１の躯体側挿入部２２を用いる。図９に示すように、既に固定した床材５に対して、別の床材５の位置を定める場合、治具１の躯体側挿入部２２を下側に向けて、平板部４を何れか一方の床材５の上面に当接させ、躯体側挿入部２２を床材５同士の間の隙間に挿入する。そして、内側当接部２２ａを一方の床材５の短手側面に当接させ、両方の外側当接部２２ｂを他方の床材５の短手側面に当接させることで、出幅方向についての床材５同士の間の隙間が所定の幅に定まる。
【００２７】
このように、根がらみ材７のネジ孔の位置決め、躯体１００に対する床材５の位置決め、床材５同士の位置決め、桁材８のネジ孔の位置決め及び床材５のネジ孔の位置決めのすべてを、一つのデッキ施工用治具により行うことができるので、施工性が良好である。そして、これらが正しく位置決めされることで、強度や品質の高いデッキが得られる。なお、治具１は、一枚のステンレス板を折り曲げて形成したものであるから、製造が容易で安価である。また、治具１の平板部４には、基準部２２１を指し示すように目印孔４１を設けてあるので、各ネジ孔の位置決めの際に、基準を間違えることがない。そして、目印孔４１を通して基準部２２１の部材に対する当接面（図１における下面）が見えるので、治具１を対象の部材に正しく当接させることができる。
【００２８】
また、図１２に示すのは、デッキ施工用治具の第二実施形態である。第二実施形態も、隙間決め部２と孔決め部３を備えるものであるが、第一実施形態とは、隙間決め部２（床目地挿入部２１及び躯体側挿入部２２）の形状が異なり、床目地挿入部２１は、床材５同士の間に形成すべき幅分の肉厚部として形成してあり、躯体側挿入部２２は、躯体１００と床材５の間に形成すべき幅分の肉厚部として形成してある。躯体側挿入部２２の先端は、治具１の幅方向の両端部が平板部４に対して傾斜しており、中央の平行部分と両端の傾斜部分の境目が位置合わせ部２２２となっている。そして第二実施形態においては、根がらみ用ガイド孔３１、桁用ガイド孔３２及び床用ガイド孔３３は、躯体側挿入部２２の下面を基準として形成してあり、躯体側挿入部２２の下面が、基準部２２１となる。また、目印孔４１は、躯体側挿入部２２の下面に接するように設けてある。このように形成した第二実施形態も、第一実施形態と同じように使用して、各所の位置決めを行うことができるものであり、これにより施工性が向上し、強度や品質の高いデッキが得られる。
【００２９】
本発明は、上記の実施形態に限定されない。たとえば、デッキの各部材の形状や、部材同士の連結構造などは、一例を示したものであり、どのようなものであってもよい。また、治具の各部位には、それぞれ何の位置合わせに用いる部位であるかを文字表記してもよい。
【符号の説明】
【００３０】
１  治具
２  隙間決め部
３  孔決め部
４  平板部
５  床材
６  束柱
７  根がらみ材
８  桁材
２１  床目地挿入部
２２  躯体側挿入部
３１  根がらみ用ガイド孔
３２  桁用ガイド孔
６１  線状部
１００  躯体
２２１  基準部
２２２  位置合わせ部
【図１】
2015178713.tif 000003
【図２】
2015178713.tif 000004
【図３】
2015178713.tif 000005
【図４】
2015178713.tif 000006
【図５】
2015178713.tif 000007
【図６】
2015178713.tif 000008
【図７】
2015178713.tif 000009
【図８】
2015178713.tif 000010
【図９】
2015178713.tif 000011
【図１０】
2015178713.tif 000012
【図１１】
2015178713.tif 000013
【図１２】
2015178713.tif 000014